(57)【要約】      （修正有）【課題】厚み方向に２枚の真空断熱材を有し、意匠性及び断熱性を向上した扉を備える冷蔵庫を提供する。【解決手段】硬質平板、第一の真空断熱材１２、発泡断熱材、第二の真空断熱材１３及び内板２１を、この順番で並べて有している扉を備えることを特徴とする冷蔵庫。更に、第一の真空断熱材１２及び硬質平板の間に外装部３１を設け、第一の真空断熱材１２を硬質平板に貼付し、及び／又は、内板２１に第二の真空断熱材１３を貼付した。【選択図】図３
2016130613.tif 000002
【特許請求の範囲】
【請求項１】
硬質平板、第一の真空断熱材、発泡断熱材、第二の真空断熱材及び内板を、この順番で並べて有している扉を備えることを特徴とする冷蔵庫。
【請求項２】
前記第一の真空断熱材及び前記硬質平板の間に外装部を設け、
前記第一の真空断熱材を前記硬質平板に貼付し、及び／又は、
前記内板に前記第二の真空断熱材を貼付したことを特徴とする請求項１に記載の冷蔵庫。
【請求項３】
前記第一の真空断熱材及び前記硬質平板の間に外装部を設け、
該外装部は、前記第一の真空断熱材の側に延びる壁部を有し、
前記第一の真空断熱材の厚みより、前記第二の真空断熱材の厚みが大きいことを特徴とする請求項１又は２に記載の冷蔵庫。
【請求項４】
前記内板は、凸条又は段差部を有し、
前記第一の真空断熱材の一部は、前記凸条又は前記段差部に対向していることを特徴とする請求項１乃至３何れか一項に記載の冷蔵庫。
【発明の詳細な説明】
【技術分野】
【０００１】
本発明は、冷蔵庫に関する。
【背景技術】
【０００２】
特許文献１は、断熱箱体の外箱と内箱の間に、２枚の真空断熱パネルを壁厚方向に重ねている（請求項１）。
【０００３】
特許文献２は、真空断熱材３８を扉内板４２側に貼付し、扉２７の変形を抑制している（段落００７３、図７）。
【先行技術文献】
【特許文献】
【０００４】
【特許文献１】特開２０１２−３２０１４号公報
【特許文献２】特開２００４−１２５３９４号公報
【発明の概要】
【発明が解決しようとする課題】
【０００５】
特許文献１は、使用者が触れたり目視する機会の多い前面扉については何ら開示していない。また、スペーサ１８に代えて真空断熱パネルの間に発泡断熱材を注入しうることが言及されている（段落００３４、図１，２）。
しかし、発泡断熱材の発泡やその後の収縮に伴い、真空断熱材に凹凸が生じ、外箱側が変形するおそれがある。外箱側が変形すると、意匠性が低下するおそれがあるが、特許文献１は、これについて何ら言及していない。
また、真空断熱パネルを取付ける取付面が平坦であることを前提としている。このため、例えば、真空断熱パネルの取付面に傾斜や凹凸があったり、取付可能な領域の厚みが一様でない場合について検討する余地がある。
【０００６】
特許文献２は、扉２７の変形を抑制しつつ、扉外板５０の側に真空断熱材を設ける方法については何ら開示していない。
【課題を解決するための手段】
【０００７】
上記事情に鑑みてなされた本発明は、硬質平板、第一の真空断熱材、発泡断熱材、第二の真空断熱材及び内板を、この順番で並べて有している扉を備えることを特徴とする冷蔵庫である。
【発明の効果】
【０００８】
厚み方向に２枚の真空断熱材を有し、意匠性及び断熱性を向上した扉を備える冷蔵庫を提供できる。
【図面の簡単な説明】
【０００９】
【図１】実施例１に係る冷蔵庫の斜視図
【図２】図１の冷蔵庫の右側冷蔵室扉全体図
【図３】図２の右側冷蔵室扉の縦断面図
【図４】図２の右側冷蔵室扉の横断面図
【図５】真空断熱材を用いた右側冷蔵室扉の発泡材注入時の説明図
【発明を実施するための形態】
【００１０】
本発明の実施例について、以下添付の図面を参照しつつ説明する。エラー! ハイパーリンクの参照に誤りがあります。同様の構成要素には同様の符号を付し、同様の説明は繰り返さない。
【実施例１】
【００１１】
図１は、本発明の実施例１に係る冷蔵庫本体１の斜視図である。
【００１２】
冷蔵庫本体１には、冷蔵室２，製氷室３，上段冷凍室４，冷凍室５，野菜室６が設けられて、各貯蔵室の前面開口部を閉塞する扉がそれぞれ設けられている。冷蔵室扉２ａ，２ｂは冷蔵室２の前面開口部を閉じる扉、上段冷凍室扉４ａは上段冷凍室４の前面開口部を閉じる扉、製氷室扉３ａは製氷室３の前面開口部を閉じる扉、冷凍室扉５ａは冷凍室５の前面開口部を閉じる扉、野菜室扉６ａは野菜室６の前面開口部を閉じる扉である。冷蔵室扉２ａ，２ｂは、左右の扉が両端のヒンジ中央から両側に開く両開きの扉で構成されている。上段冷凍室扉３ａ，製氷室扉４ａ，冷凍室扉５ａ，野菜室扉６ａは引出し式の扉によって構成され、引出し扉とともに貯蔵室内の引出し容器が引出される。
【００１３】
以下、主に冷蔵室扉２ａに関して説明を行うが、他の扉においても同様の構成を用いることで同様の効果を得ることができる。
【００１４】
図２は、右側冷蔵室扉２ａの正面図、図３は冷蔵室扉２ａのＡ−Ａ縦断面図、図４は冷蔵室扉２ａのＢ−Ｂ横断面図である。図５は扉発泡冶具における扉の発泡説明図である。図２に示す冷蔵室扉２ａは、正面側に平板形状の硬質平板を有している。硬質平板は、所定の剛性を有し、例えば人の押圧力、発泡断熱材の発泡や収縮に伴う力で変形が生じにくい材質であれば特に制限されないが、以下では、硬質平板の一例としてガラス板３２を用いて説明する。ガラス板３２は透光性を有している。
【００１５】
ガラス板３２より正面側には外装部３１を設けてある。外装部３１は、ガラス板３２を静置する平坦部と、平坦部の外周に設けた壁部を有する（例えば、図５参照）。
【００１６】
壁部は、平坦部に対して垂直な方向に延びており、平坦部外周を囲んでいる。
冷蔵室扉２ａの背面側には内板２１を有している。内板２１は、図２中、左右方向に延びる凸条２２，上下方向に延びる凸条２４を外周側に有する。凸条２２，２４により、内板２１は矩形状の突起を有する。
【００１７】
また、内板２１は、左右方向に延びる凸条２２の間に冷蔵室扉２ａの下側に向かうにつれてガラス板３２側に近づく段差部２３を有する。段差部２３は、下側の凸条２２近くに設けてある。段差部２３により、内板２１側にペットボトル等を収納しやすくなる。また、凸条２４に掛合等して、食品等を収納するポケットやバスケットを取付けてもよい。
【００１８】
冷蔵室扉２ａの内部には真空断熱材１２，１３が二つ配置され、二つの真空断熱材の間には発泡断熱材が設けられている。仮に一方の真空断熱材が破損しても他方の真空断熱材で断熱可能なため、断熱性能の大きな減少を抑制できる。
【００１９】
真空断熱材１２は、ガラス板３２側に設けられており、その一部は内板２１側に設けた凸条２２，２４、段差部２３に対向している。真空断熱材１２は、内板２１に離間しているため、凸条２２，２４や段差部２３に対向させて配しても、発泡断熱材の注入の阻害し難い。このため、広範囲に真空断熱材１２を設けて、断熱性能を向上できる。
【００２０】
また、真空断熱材１２は外装部３１に、例えば両面テープを用いて貼付されている。外装部３１の前方側にはガラス板３２が位置する。このため、発泡断熱材が注入されて、後に収縮しても、ガラス板３２は硬質であるため変形し難い。冷蔵室扉２ａのガラス板３２側は、冷蔵庫本体１の外側に設けられるため、使用者が目視したり触れたりしやすいが、上記のようにすることで、冷蔵室扉２ａの意匠性を高め、また、使用者の触感への不快感を抑制できる。
【００２１】
さらに、発泡断熱材が収縮しても、真空断熱材１２は外装部３１に貼付されているため、位置ずれが抑制される。なお、外装部３１はＡＢＳ等の樹脂で形成できる。
【００２２】
真空断熱材１３は、内板２１側に設けられており、内板２１の凸条２２及び段差部２３より内側（図３中、上下方向側）の平坦な領域に位置している。これにより、凸条２２や段差部２３にも発泡断熱材を効果的に充填できる。また、同様に凸条２４より内周側に真空断熱材１３を設けている。
【００２３】
真空断熱材１３は内板２１に貼付されている。これにより、真空断熱材１３の位置ずれを抑制できる。なお、真空断熱材１３は凸条２２，２４や段差部２３より内側に位置しているため、その面積は真空断熱材１２の面積より小さい。
【００２４】
冷蔵室扉２ａの内板２１側は、外装部３１の側面（図３中、上下方向の端面）壁部に取り付けられる。外装部３１及び内板２１は、このようにして冷蔵室扉２ａの外殻を形成し、内部にガラス板３２、真空断熱材１２，１３と発泡断熱材を有する。
【００２５】
外装部３１側に設けた真空断熱材１２の厚みは、ガラス板３２から壁部の先端までの厚み方向長さ（図５中、外装部３１の上下方向高さ）の半分未満である。発泡断熱材の注入工程は、注入ヘッド４１から液状の発泡断熱材４２を注入して行うことができる。真空断熱材１２の厚みを上記のようにすることで、液はね４３が外装部３１より外側に飛散することを抑制できる。これにより、外装部３１の外面に液はね４３が付着することを抑制し、冷蔵庫扉２ａの製造工程での不良の発生を抑制できる。
【００２６】
一方、真空断熱材１３は液はね４３を考慮する必要がないため、厚みを持たせることができる。例えば、真空断熱材１２より真空断熱材１３を厚くすることで、断熱性を高めた冷蔵室扉２ａを製造できる。このとき、真空断熱材１２の厚みを上記のようにすることで、液はねの付着も抑制できる。
【００２７】
なお、真空断熱材１２，１３の貼付の態様は特に制限されず、また、これらの部材の相対移動が抑制されればよい。また、上記の構成を適用する扉は、冷蔵室扉２ａに限られず、引出し式の扉でも観音式の扉であっても良い。
【符号の説明】
【００２８】
１  冷蔵庫本体
２  冷蔵室
２ａ  右側冷蔵室扉
２ｂ  左側冷蔵室扉
３    製氷室
３ａ  製氷室扉
４    上段冷凍室
４ａ  上段冷凍室扉
５    下段冷凍室
５ａ  下段冷凍室扉
６    野菜室
６ａ  野菜室扉
１２  ガラス板側真空断熱材
１３  内板側真空断熱材
２１  扉内板
２２  凸条
２３  段差部
２４  凸条
３１  外装部
３２  ガラス板（硬質平板）
４１  発泡断熱材注入ヘッド
４２  発泡断熱材
４３  液ハネ
４５  扉発泡冶具
【図１】
2016130613.tif 000003
【図２】
2016130613.tif 000004
【図３】
2016130613.tif 000005
【図４】
2016130613.tif 000006
【図５】
2016130613.tif 000007